(57)【要約】    【課題】センサカメラを警戒モードに設定する際の利便性、及び設定された警戒モードを解除する際の利便性を高める。    【解決手段】少なくとも１台のセンサカメラ２、３が有する警報エリアＺ1、Ｚ2よりも広い受信エリアＺ3を有する無線受信機５との間で無線通信を行うことができる居住者により携行される無線送信機４において、当該センサカメラを警戒モードに設定する、及び設定された警戒モードを解除する操作が警報エリア外からも可能となるため、居住者による無線送信機を使用した解除操作が行われる前におけるセンサカメラの動作を無効として、センサカメラにて撮像される映像の居室親機６への録画・保存や、玄関子機、センサカメラ及び居室親機での警報発報を停止することができる。  【選択図】図１
2008244954.tif 000002
【特許請求の範囲】
【請求項１】
住宅外に設置され、子機カメラ（１０１）を有する玄関子機（１）、少なくとも１台のセンサカメラ（２、３）及び無線受信機（５）と、住宅内に設置され、前記センサカメラを警戒モードに設定可能で前記玄関子機、前記センサカメラ及び前記無線受信機に伝送路（Ｌ1、Ｌ2、Ｌ3、Ｌ4）によりそれぞれ接続される居室親機（６）と、外出時の居住者により携行され前記警戒モードを設定し、前記設定された警戒モードを解除するための機能を有し、前記無線受信機との間で無線通信を行う無線送信機（４）とを備え、
前記居室親機には、前記警戒モードの設定時に前記センサカメラが有する警報エリア（Ｚ1、Ｚ2）にて感知されるセキュリティ異常を警報発報するための警報発報部（６０２、６０７）と、前記警戒モードの設定時に前記センサカメラにて撮像される映像を保存するための録画回路（６０４）と、前記録画回路に保存させる映像の撮像元である当該カメラを選択するための映像セレクタ回路（６０５）と、前記警戒モードの設定時における前記警報エリアへの前記居住者の通過を検出して前記警戒モードの設定を解除し、前記警報発報部、前記録画回路及び前記映像セレクタ回路をそれぞれ制御するための制御部（６０８、６０９、６１４）とを備えたことを特徴とするセキュリティドアホン装置。
【請求項２】
前記無線受信機は、前記玄関子機、前記センサカメラ及び前記居室親機のうち何れかに内蔵されることを特徴とする請求項１記載のセキュリティドアホン装置。
【請求項３】
前記無線受信機が有する受信エリア（Ｚ3）は、前記センサカメラが有する前記警報エリアより広いことを特徴とする請求項１又は請求項２記載のセキュリティドアホン装置。
【発明の詳細な説明】
【技術分野】
【０００１】
本発明は、セキュリティ異常を感知して警報発報を行うセキュリティドアホン装置に係り、特に、センサカメラを警戒モードに設定する際の利便性、及び設定された警戒モードを解除する際の利便性を高めたセキュリティドアホン装置に関する。
【背景技術】
【０００２】
従来から、この種のセキュリティドアホン装置として、泥棒等の不審者のような非来訪者に対する防犯性を向上させるにあたり、来訪者又は非来訪者の存在を検知するための人感センサ及び当該来訪者又は非来訪者の映像を撮像して録画するためのカメラ・録画ユニットを設けて、来訪者又は非来訪者の存在を検知した場合には、カメラにて撮像される映像を録画ユニットに録画することができるテレビインターホンシステム（例えば、特許文献１を参照）が開示されている。
【０００３】
このテレビインターホンシステムによれば、外出等で居住者が住宅内を不在にしている場合であっても、録画ユニットに録画させた映像を再生することにより、来訪者又は不審者を判別する際の有効的な材料と為り得る。
【０００４】
また、前述の人感センサの動作を有効にするような警戒モードの設定と、設定された警戒モードの解除を行う機器としては、外出等で居住者が住宅内を不在にするにあたり携行される携帯型無線送信機が開示されている（例えば、特許文献２を参照。）。
【０００５】
【特許文献１】特開平１１−２２５３２７号公報
【特許文献２】特開２００２−３１２８７２号公報
【発明の開示】
【発明が解決しようとする課題】
【０００６】
背景技術に記載した特許文献１、２において、人感センサの動作を有効にするような警戒モードが設定されているとき、居住者が外出先から住宅内に帰宅しようとすると、居住者による携帯型無線送信機を使用した解除操作が行われる前に人感センサが動作して、本来必要としない映像の保存（録画）や警報発報が行われる虞があった。
【０００７】
本発明は、この難点を解消するためになされたもので、センサカメラを警戒モードに設定する、及び設定された警戒モードを解除する操作を居住者により携行される無線送信機にて行い、居住者による無線送信機を使用した解除操作が行われる前におけるセンサカメラの動作を無効とし、映像の保存や警報発報を停止することができるテレビドアホン装置を提供することを目的としている。
【課題を解決するための手段】
【０００８】
前述の目的を達成するため、本発明の第１の態様であるセキュリティドアホン装置は、住宅外に設置され、子機カメラを有する玄関子機、少なくとも１台のセンサカメラ及び無線受信機と、住宅内に設置され、センサカメラを警戒モードに設定可能で玄関子機、センサカメラ及び無線受信機が伝送路によりそれぞれ接続される居室親機と、外出時の居住者により携行され警戒モードを設定し、設定された警戒モードを解除するための機能を有し、無線受信機との間で無線通信を行う無線送信機とを備えたものである。居室親機には、警戒モードの設定時にセンサカメラが有する警報エリアにて感知されるセキュリティ異常を警報発報するための警報発報部と、警戒モードの設定時にセンサカメラにて撮像される映像を保存するための録画回路と、録画回路に保存させる映像の撮像元である当該カメラを選択するための映像セレクタ回路と、警戒モードの設定時における警報エリアへの居住者の通過を検出して警戒モードの設定を解除し、警報発報部、録画回路及び映像セレクタ回路をそれぞれ制御するための制御部とを備えている。
【０００９】
また、本発明の第２の態様であるセキュリティドアホン装置は、本発明の第１の態様において、無線受信機は、玄関子機、センサカメラ及び居室親機のうち何れかに内蔵されるものである。
【００１０】
また、本発明の第３の態様であるセキュリティドアホン装置は、本発明の第１の態様又は第２の態様において、無線受信機が有する受信エリアは、センサカメラが有する警報エリアより広いものである。
【発明の効果】
【００１１】
本発明のテレビドアホン装置によれば、少なくとも１台のセンサカメラが有する警報エリアよりも広い受信エリアを有する無線受信機との間で無線通信を行うことができる居住者により携行される無線送信機において、当該センサカメラを警戒モードに設定する、及び設定された警戒モードを解除する操作が警報エリア外からも可能となるため、居住者による無線送信機を使用した解除操作が行われる前におけるセンサカメラの動作を無効として、センサカメラにて撮像される映像の居室親機への録画・保存や、玄関子機、センサカメラ及び居室親機での警報発報を停止することができる。
【００１２】
また、本発明のテレビドアホン装置によれば、玄関子機、少なくとも１台のセンサカメラ及び居室親機のうち何れかの機器に無線受信機を内蔵させて設けることができるため。当該玄関子機、センサカメラ及び居室親機と別途に独立して設けた場合と比較して施工コストの削減や省線化を図ることができる。
【発明を実施するための最良の形態】
【００１３】
以下、本発明のセキュリティドアホン装置を適用した最良の実施の形態例について、図面を参照して説明する。
【００１４】
図１は、本発明の実施例によるセキュリティドアホン装置の全体構成を示すシステム説明図である。このセキュリティドアホン装置は、住宅外に設置される玄関子機１と、住宅外に設置される少なくとも１台のセンサカメラ、ここでは、２台のセンサカメラ（以下、第１、第２の各センサカメラという。）２、３と、住宅内を留守にするような外出時の居住者により携行される無線送信機４と、住宅内に設置され無線送信機４からの無線信号を受信するための無線受信機５と、住宅内に設置され伝送路Ｌ1、Ｌ2、Ｌ3、Ｌ4により玄関子機１、第１、第２の各センサカメラ２、３、無線受信機５がそれぞれ接続される居室親機６とで構成されている。
【００１５】
図１に示す玄関子機１は、子機操作部１００、子機カメラ１０１、子機マイク１０２及び子機スピーカ１０３を有している。ここで、子機操作部１００は、住宅外に居る来訪者が住宅内に在室中の居住者を呼び出すための呼出操作を行うものであり、例えば、呼出ボタンが好適とされる。また、子機カメラ１０１は、住宅外に居る来訪者の映像や当該住宅外の周囲環境の映像を撮像して映像信号を生成するためのものであり、例えば、ＣＣＤ、ＣＭＯＳ等の各種の撮像媒体が好適とされる。また、子機マイク１０２及び子機スピーカ１０３は、来訪者が居住者との間で通話を成立させるための音声（送話音声、受話音声）を入出力するものであり、子機スピーカ１０３は、前述の通話機能の他に、後述する警戒モードの設定時において第１、第２の各センサカメラ２、３のうち少なくとも何れか１の当該センサカメラが有する警報エリアＺ1、Ｚ2にて感知される人物が泥棒等の不審者であり、その旨のセキュリティ異常を警報発報するための警報音や音声メッセージ等を出力することができる。
【００１６】
図１に示す第１、第２の各センサカメラ２、３は同様な構成であり、センサ部２００、３００、カメラ部２０１、３０１及びスピーカ部２０２、３０２を有している。ここで、センサ部２００、３００はそれぞれ、所定の警報エリアＺ1、Ｚ2を有しており、後述する警戒モードの設定時において警報エリアＺ1、Ｚ2内に一定時間以上継続して存在している人物、又は複数回で出入りしている人物を感知して泥棒等の不審者である旨のセキュリティ異常信号を生成するためのものである。また、カメラ部２０１、３０１はそれぞれ、センサ部２００、３００にて感知された泥棒等の不審者の映像を撮像して映像信号を生成するためのものであり、例えば、ＣＣＤ、ＣＭＯＳ等の各種の撮像媒体が好適とされる。さらに、スピーカ部２０２、３０２はそれぞれ、前述のセキュリティ異常を警報発報するための警報音や音声メッセージ等を出力するものである。
【００１７】
図１に示す無線送信機４は、送信機操作部４００、送信機アンテナ４０１を有している。ここで、送信機操作部４００は、外出のために住宅外に出た居住者が第１、第２の各センサカメラ２、３を警戒モードに設定するための設定操作と、外出から住宅内に帰宅しようとする居住者が設定中の警戒モードを解除するための解除操作とを行うものであり、例えば、押圧ボタンが好適とされる。また、送信機アンテナ４０１は、無線受信機５の後述する受信機アンテナ５００に無線信号を無線通信で送信するためのものである。
【００１８】
図１に示す無線受信機５は、受信機アンテナ５００を有している。ここで、受信機アンテナ５００は、無線送信機４の送信機アンテナ４０１から無線通信で送信されてくる無線信号を受信するためのものであり、第１、第２の各センサカメラ２、３が有する警報エリアＺ1、Ｚ2よりも広い所定の受信エリアＺ3を有している。
【００１９】
図１に示す居室親機６は、モニタ６００、親機マイク６０１、親機スピーカ６０２及び親機操作部６０３を有している。ここで、モニタ６００は、玄関子機１の子機カメラ１０１、第１、第２の各センサカメラ２、３のカメラ部２０１、３０１のうち何れか１の当該カメラにて撮像された映像を出画するばかりでなく、来訪者による玄関子機１からの呼び出しがある旨の呼出メッセージや絵データ等、前述のセキュリティ異常を警報発報するための警報メッセージや絵データ等をそれぞれ表示することができるものであり、例えば、ＬＣＤ、ＰＤＰ、有機ＥＬディスプレイ等の各種の出画／表示媒体が好適とされる。また、親機マイク６０１及び親機スピーカ６０２は、居住者が来訪者との間で通話を成立させるための音声（送話音声、受話音声）を入出力するものであり、親機スピーカ６０２は、前述の通話機能の他に、前述のセキュリティ異常を警報発報するための警報音や音声メッセージ等を出力することができる。さらに、親機操作部６０３は、来訪者による玄関子機１からの呼び出しがあることを確認した居住者が応答して通話を成立させるための応答操作及び成立中の通話を終了させるための終話操作を行うばかりでなく、後述する録画回路６０４に予め保存された映像（映像信号）を読み出してモニタ６００に再生させるための再生操作を行うものであり、例えば、各種の操作機能に対応させた押圧ボタンやモニタ６００の前面に配置されたタッチパネル等が好適とされる。
【００２０】
次に、無線送信機４、無線受信機５及び居室親機６の具体的な構成について、図２（ａ）、（ｂ）、図３をそれぞれ参照して説明する。
【００２１】
図２（ａ）に示す無線送信機４には、前述の送信機操作部４００及び送信機アンテナ４０１と、送信機制御回路４０２と、送信機信号処理回路４０３とが備えられている。ここで、送信機制御回路４０２は、送信機操作部４００にて行われる操作を検出し、警戒モード設定信号又は設定解除信号を生成するためのものである。また、送信機信号処理回路４０３は、送信機制御回路４０１にて生成された警戒モード設定信号又は設定解除信号を信号処理する、例えば、ベースバンドで変調し増幅させた無線信号の生成を行うものである。  図２（ｂ）に示す無線受信機５には、前述の受信機アンテナ５００と、受信機信号処理回路５０１と、受信機制御回路５０２と、受信機Ｉ／Ｆ５０３とが備えられている。ここで、受信機信号処理回路５０１は、受信機アンテナ５００にて受信された無線信号を信号処理する、例えば、ベースバンドで復調し増幅させた警戒モード設定信号又は設定解除信号の生成を行うものである。また、受信機制御回路５０２は、受信機信号処理回路５０１からの警戒モード設定信号又は設定解除信号を受信して、外出のために住宅外に出た居住者が第１、第２の各センサカメラ２、３を警戒モードに設定するための設定操作と、外出から住宅内に帰宅しようとする居住者が設定中の警戒モードを解除するための解除操作とをそれぞれ検出するためのものである。さらに、受信機Ｉ／Ｆ５０３は、受信機制御回路５０２にて受信された警戒モード設定信号又は設定解除信号を、伝送路Ｌ4に送出するためのものである。
【００２２】
図３に示す居室親機６には、前述のモニタ６００、親機マイク６０１、親機スピーカ６０２及び親機操作部６０３と、録画回路６０４と、映像セレクタ回路６０５と、通話回路６０６と、音声合成回路６０７と、ＯＲ回路６０８と、ＡＮＤ回路６０９と、子機側親機Ｉ／Ｆ６１０と、第１、第２の各センサカメラ側親機Ｉ／Ｆ６１１、６１２と、受信機側親機Ｉ／Ｆ６１３と、親機制御回路６１４とが備えられている。ここで、録画回路６０４は、親機制御回路６１４により制御され、前述の警戒モードの設定時において第１、第２の各センサカメラ２、３のカメラ部２０１、３０１のうち何れか１の当該カメラにて撮像された映像（映像信号）を保存するとともに、警戒モードの設定又は非設定（解除）の相違を問わずして玄関子機１の子機カメラ１０１にて撮像された映像（映像信号）保存することができるものであり、例えば、ＲＡＭ、ＥＥＰＲＯＭ等の各種の記憶媒体が好適とされる。また、映像セレクタ回路６０５は、親機制御回路６１４により制御され、録画回路６０４に保存させる映像（映像信号）の撮像元である当該カメラを選択するためのものである。また、通話回路６０６は、親機制御回路６１４により制御され、親機マイク６０１及び親機スピーカ６０２と子機側親機Ｉ／Ｆ６１０との間で送受信される音声信号を信号処理する、例えば、４線／２線変換、２線／４線変換、増幅等を行うものである。また、音声合成回路６０７は、親機制御回路６１４により制御され、親機スピーカ６０２から出力させる呼出音や音声メッセージ等の呼出報知音信号、親機スピーカ６０２のみならず第１、第２の各センサカメラ２、３のスピーカ部２０２、３０２から出力させる警報音や音声メッセージ等の警報発報音信号をそれぞれ生成するためのものである。また、ＯＲ回路６０８は、第１、第２の各センサカメラ２、３からのセキュリティ異常信号のうち何れか１の当該信号のみが入力端子Ｐ608a、Ｐ608bに入力されると出力端子Ｐ608cの電位がＬ（Ｌｏｗ）レベルからＨ（Ｈｉｇｈ）レベルに切り換わるものである。また、ＡＮＤ回路６０９は、無線受信機５にて受信される無線送信機４からの警戒モード設定信号とＯＲ回路６０８からのＨレベルの出力信号が入力端子Ｐ609a、Ｐ609bにそれぞれ入力されると出力端子Ｐ609cの電位がＬレベルからＨレベルに切り換わるものである。また、子機側親機Ｉ／Ｆ６１０は、伝送路Ｌ1から映像セレクタ回路６０５への信号伝送ラインと、通話回路６０６及び伝送路Ｌ1の間の信号伝送ラインと、音声合成回路６０７から伝送路Ｌ1への信号伝送ラインと、親機制御回路６１４及び伝送路Ｌ1の間の信号伝送ラインとをそれぞれ形成するためのものである。また、第１のセンサカメラ側親機Ｉ／Ｆ６１１は、伝送路Ｌ2から映像セレクタ回路６０５への信号伝送ラインと、音声合成回路６０７から伝送路Ｌ2への信号伝送ラインと、伝送路Ｌ2からＯＲ回路６０８の入力端子Ｐ608aへの信号伝送ラインと、伝送路Ｌ2から親機制御回路６１４への信号伝送ラインとをそれぞれ形成するためのものである。また、第２のセンサカメラ側親機Ｉ／Ｆ６１２は、伝送路Ｌ3から映像セレクタ回路６０５への信号伝送ラインと、音声合成回路６０７から伝送路Ｌ3への信号伝送ラインと、伝送路Ｌ3からＯＲ回路６０８の入力端子Ｐ608bへの信号伝送ラインと、伝送路Ｌ3から親機制御回路６１４への信号伝送ラインとをそれぞれ形成するためのものである。また、受信機側親機Ｉ／Ｆ６１３は、伝送路Ｌ4からＡＮＤ回路６０９の入力端子Ｐ609aへの信号伝送ラインを形成するためのものである。さらに、親機制御回路６１４は、当該居室親機を構成する前述の各部／回路を制御するためのものである。
【００２３】
このように構成された本発明の実施例によるセキュリティドアホン装置において、以下、具体的な動作について、図面を参照して説明する。
【００２４】
最初に、図１及び図２（ａ）、（ｂ）にそれぞれ示す第１、第２の各センサカメラ２、３を警戒モードに設定するにあたり、外出のために住宅外に出た居住者が無線送信機４の送信機操作部４００を使用して所定の設定操作を行うと、この操作を検出した送信機制御回路４０２にて警戒モード設定信号Ｓ1が生成される。また、送信機制御回路４０２にて設定された警戒モード設定信号Ｓ1は、送信機信号処理回路４０３を経由して無線信号Ｓ1aに信号処理された後、送信機アンテナ４０１から無線受信機５の受信機アンテナ５００に無線通信で送信される。
【００２５】
また、無線受信機５の受信機信号処理回路５０１は、受信機アンテナ５００にて受信された無線信号Ｓ1aを（電気信号である）警戒モード設定信号Ｓ1に信号処理して受信機制御回路５０２に送出する。この受信機制御回路５０２は、受信した警戒モード設定信号Ｓ1をもとに、外出のために住宅外に出た居住者による警戒モードの設定が行われたことを検出し、当該警戒モード設定信号を受信機Ｉ／Ｆ５０３を経由して伝送路Ｌ4に送出する。
【００２６】
図３において、居室親機６の受信機側親機Ｉ／Ｆ６１３は、伝送路Ｌ4を経由して無線受信機５から伝送されてきた警戒モード設定信号Ｓ1を受信し、この警戒モード設定信号Ｓ1をＡＮＤ回路６０９の入力端子Ｐ609aに送出する。また、ＡＮＤ回路６０９は、警戒モード設定信号Ｓ1が入力された入力端子Ｐ609aの電位がＬレベルからＨレベルに切り換わることにより、ＯＲ回路６０８の出力端子Ｐ608cからの当該出力信号を入力端子Ｐ609bに入力可能な警戒モードに設定される。
【００２７】
次に、前述の警戒モードの設定時において、図１及び図２（ａ）、（ｂ）にそれぞれ示す第１、第２の各センサカメラ２、３のうち例えば、第１のセンサカメラ２が有する警報エリアＺ1内に一定時間以上継続して存在している人物、又は複数回で出入りしている人物をセンサ部２００が感知すると、このセンサ部２００は、感知された人物が泥棒等の不審者である旨のセキュリティ異常信号Ｓ2を生成して伝送路Ｌ2に送出する。また、センサ部２００にて人体感知が行われるとカメラ部２０１が能動となり、センサ部２００にて感知された人物の映像を含む警報エリアＺ1内の映像の撮像が開始される。さらに、カメラ部２０１にて撮像された映像は、電気信号である映像信号Ｓ3に信号処理された後、伝送路Ｌ2に送出される。
【００２８】
図３において、居室親機６の受信機側親機Ｉ／Ｆ６１３は、第１のセンサカメラ２から伝送されてきたセキュリティ異常信号Ｓ2及び映像信号Ｓ3をそれぞれ受信し、セキュリティ異常信号Ｓ2をＯＲ回路６０８の入力端子Ｐ608a及び親機制御回路６１４にそれぞれ送出する一方、映像信号Ｓ3は映像セレクタ回路６０５に送出する。また、ＯＲ回路６０８は、セキュリティ異常信号Ｓ2が入力された入力端子Ｐ608aの電位がＬレベルからＨレベルに切り換わることにより、出力端子Ｐ608cの電位がＬレベルからＨレベルに切り換わり、ＡＮＤ回路６０９の入力端子Ｐ609bに出力信号Ｓ4が送出される。さらに、ＡＮＤ回路６０９は、警戒モード設定信号Ｓ1が入力された入力端子Ｐ609aの電位と、出力信号Ｓ4が入力された入力端子Ｐ609bの電位とがそれぞれＬレベルからＨレベルに切り換わることにより、出力端子Ｐ609cの電位がＬレベルからＨレベルに切り換わり、親機制御回路６１４に出力信号Ｓ5が送出される。
【００２９】
また、居室親機６の親機制御回路６１４は、第１のセンサカメラ２から伝送されてきたセキュリティ異常信号Ｓ2とＡＮＤ回路６０９からの出力信号Ｓ5とをもとに、警戒モードの設定時において第１のセンサカメラ２が有する警報エリアＺ1内に一定時間以上継続して存在している人物、又は複数回で出入りしている人物が泥棒等の不審者であり、セキュリティ異常であることを検出し、その旨の警報音や音声メッセージ等の警報発報音信号Ｓ6を音声合成回路６０７にて生成させるとともに、録画回路６０４及び映像セレクタ回路６０５を制御して、第１のセンサカメラ２のカメラ部２０１にて撮像され生成された映像信号Ｓ3を、撮像時刻等の時間情報を付与して録画回路６０４に保存させることができる。なお、音声合成回路６０７にて生成された警報発報音信号Ｓ6は、親機スピーカ６０２と、子機側親機Ｉ／Ｆ６１０、伝送路Ｌ1を経由して玄関子機１と、第１のセンサカメラ側親機Ｉ／Ｆ６１１、伝送路Ｌ2を経由して図１に示す第１のセンサカメラ２と、第２のセンサカメラ側親機Ｉ／Ｆ６１２、伝送路Ｌ3を経由して図１に示す第２のセンサカメラ３とにそれぞれ伝送される。なお、親機制御回路６１４は、適宜な通信手段（詳述せず。）を使用して、前述のセキュリティ異常を警備管理会社等のサーバに警報移報することもできる。
【００３０】
さらに、居室親機６の親機スピーカ６０２は、音声合成回路６０７にて生成された警報発報音信号Ｓ6を信号処理して、警戒モードの設定時において第１のセンサカメラ２が有する警報エリアＺ1内に一定時間以上継続して存在している人物、又は複数回で出入りしている人物が泥棒等の不審者であり、セキュリティ異常である旨の警報音や音声メッセージ等を住宅内に警報発報することができる。
【００３１】
図１に示す玄関子機１は、居室親機６の音声合成回路６０７にて生成され伝送路Ｌ1を経由して伝送されてきた警報発報音信号Ｓ6を信号処理して、警戒モードの設定時において第１のセンサカメラ２が有する警報エリアＺ1内に一定時間以上継続して存在している人物、又は複数回で出入りしている人物が泥棒等の不審者であり、セキュリティ異常である旨の警報音や音声メッセージ等を住宅外に警報発報することができる。
【００３２】
図１に示す第１、第２の各センサカメラ２、３はそれぞれ、居室親機６の音声合成回路６０７にて生成され伝送路Ｌ2、Ｌ3を経由して伝送されてきた警報発報音信号Ｓ6を信号処理して、警戒モードの設定時において第１のセンサカメラ２が有する警報エリアＺ1内に一定時間以上継続して存在している人物、又は複数回で出入りしている人物が泥棒等の不審者であり、セキュリティ異常である旨の警報音や音声メッセージ等を住宅外に警報発報することができ、この警報発報は、泥棒等の不審者に対する威嚇効果も有している。
【００３３】
なお、前述までの説明では、警戒モードの設定時において、第１、第２の各センサカメラ２、３のうち第１のセンサカメラ２が有する警報エリアＺ1内に一定時間以上継続して存在している人物、又は複数回で出入りしている人物をセンサ部２００が感知した場合の動作について説明したが、この動作に限定されるものではない。例えば、第２のセンサカメラ３が有する警報エリアＺ2内に一定時間以上継続して存在している人物、又は複数回で出入りしている人物をセンサ部３００が感知した場合においても、感知された人物が泥棒等の不審者であり、セキュリティ異常である旨の警報音や音声メッセージ等を玄関子機１の子機スピーカ１０２、第１、第２の各センサカメラ２、３のスピーカ部２０２、３０２及び居室親機６の親機スピーカ６０２からそれぞれ出力させることができるばかりでなく、第２のセンサカメラ３のカメラ部３０１にて撮像された映像であり、信号処理された映像信号を、撮像時刻等の時間情報を付与して録画回路６０４に保存することができる。
【００３４】
次に、前述の警戒モードの設定時において、住宅内に在室中の居住者を呼び出すために、住宅外に居る来訪者が図１に示す玄関子機１の呼出ボタン１００を使用して呼出操作を行うと、この呼出ボタン１００は、呼出信号Ｓ7を生成して伝送路Ｌ1に送出する。また、呼出ボタン１００を使用して呼出操作が行われると子機カメラ１０１が能動となり、来訪者の映像を含む住宅外の周囲近傍の映像の撮像が開始される。さらに、子機カメラ１０１にて撮像された映像は、電気信号である映像信号Ｓ8に信号処理された後、伝送路Ｌ1に送出される。
【００３５】
図３において、居室親機６の子機側親機Ｉ／Ｆ６１０は、伝送路Ｌ1を経由して玄関子機１から伝送されてきた呼出信号Ｓ7及び映像信号Ｓ8をそれぞれ受信し、呼出信号Ｓ7は親機制御回路６１４に送出する一方、映像信号Ｓ8は映像セレクタ回路６０５に送出する。
【００３６】
また、居室親機６の親機制御回路６１４は、玄関子機１から伝送されてきた呼出信号Ｓ7を受信すると、警戒モードの設定時において住宅外に居る来訪者からの呼び出しがあることを検出し、録画回路６０４及び映像セレクタ回路６０５を制御して、玄関子機１の子機カメラ１０１にて撮像され生成された映像信号Ｓ8を、撮像時刻等の時間情報を付与して録画回路６０４に保存させることができる。
【００３７】
次に、前述の警戒モードの設定時において、予め設定されている図１、図２（ａ）、（ｂ）にそれぞれ示す第１、第２の各センサカメラ２、３の警戒モードを解除するにあたり、外出先から住宅内に帰宅しようとする居住者が無線送信機４の送信機操作部４００を使用して所定の設定解除操作を行うと、この操作を検出した送信機制御回路４０２にて設定解除信号Ｓ9が生成される。また、送信機制御回路４０２にて生成された設定解除信号Ｓ9は、送信機信号処理回路４０３を経由して無線信号Ｓ9aに信号処理された後、送信機アンテナ４０１から無線受信機５の受信機アンテナ５００に無線通信で送信される。なお、無線受信機５の受信機アンテナ５００が有する受信エリアＺ3は、第１、第２の各センサカメラ２、３のセンサ部２００、３００が有する警報エリアＺ1、Ｚ2よりも広いため、前述の設定解除操作を警報エリアＺ1、Ｚ2外からも行うことができる。
【００３８】
また、無線受信機５の受信機信号処理回路５０１は、受信機アンテナ５００にて受信された無線信号Ｓ9aを（電気信号である）設定解除信号Ｓ9に信号処理して受信機制御回路５０２に送出する。この受信機制御回路５０２は、受信した設定解除信号Ｓ9をもとに、外出先から住宅内に帰宅しようとする居住者による警戒モードの設定解除が行われたことを検出し、当該設定解除信号を受信機Ｉ／Ｆ５０３を経由して伝送路Ｌ4に送出する。
【００３９】
図３において、居室親機６の受信機側親機Ｉ／Ｆ６１３は、伝送路Ｌ4を経由して無線受信機５から伝送されてきた設定解除信号Ｓ9を受信し、この設定解除信号Ｓ9をＡＮＤ回路６０９の入力端子Ｐ609aに送出する。また、ＡＮＤ回路６０９は、設定解除信号Ｓ9が入力された入力端子Ｐ609aの電位がＨレベルからＬレベルに切り換わることにより、第１、第２の各センサカメラ２、３のうち外出先から住宅内に帰宅しようとする居住者の人体を感知した何れか１の当該センサカメラのセンサ部２００、３００にて生成される当該セキュリティ異常信号が入力端子Ｐ609bに入力された場合であっても、出力端子Ｐ609cの電位レベルはＬレベルのまま保持され、前述のような出力信号Ｓ5が親機制御回路６１４に送出されることはない。これにより、親機制御回路６１４は、第１、第２の各センサカメラ２、３のうち外出先から住宅内に帰宅しようとする居住者の人体を感知した何れか１の当該センサカメラのカメラ部２０１、３０１にて生成される当該映像信号を、録画回路６０４に保存するような映像セレクタ回路６０５及び当該録画回路への制御は行わずに当該録画回路の有効利用を図ることができるばかりでなく、音声合成回路６０７にて警報発報音信号Ｓ6を生成させることがないため、玄関子機１、第１、第２の各センサカメラ２、３及び当該居室親機での警報発報を停止することができる。
【００４０】
次に、図３において、居室親機６の録画回路６０５に保存された前述の映像信号Ｓ3、Ｓ8、すなわち、第１のセンサカメラ２のカメラ部２０１にて撮像された映像及び玄関子機１の子機カメラ１０１にて撮像された映像はそれぞれ、住戸内に在室中の居住者による親機操作部６０３の再生操作を検出した親機制御回路６１４の制御により読み出され、撮像時刻等の時間情報を付与してモニタ６００に出画させることができる。これにより、居住者にとっては、第１のセンサカメラ２のセンサ部２００にて感知された人物である泥棒等の不審者を判別する際の有効的な材料と為り得るばかりでなく、来訪者を判別する際の有効的な材料と為り得る。
【００４１】
なお、前述までの実施例では、住宅外に設置される少なくとも１台のセンサカメラとして、２台のセンサカメラ（第１、第２の各センサカメラ）２、３を適用したが、この態様に限定されるものではない。例えば、より複数台のセンサカメラを設けることにより、さらなる防犯性の向上が図られるばかりでなく、このセンサカメラに照明機能を設けることで、夜間時等においてカメラ部２０１、３０１にて撮像される映像の視認性を高めることができる。
【００４２】
また、前述までの実施例では、住宅内に設置され無線送信機４からの無線信号を受信するための無線受信機５を、玄関子機１、第１、第２の各センサカメラ２、３及び居室親機６とは別途に独立して設けたが、この態様に限定されるものではない。例えば、玄関子機１、第１、第２の各センサカメラ２、３及び居室親機６のうち何れかの機器に内蔵させて設けることもできる。この態様によれば、施工コストの削減や省線化を図ることができる。
【００４３】
さらに、前述までの実施例では、警戒モードの設定時における警報エリアＺ1、Ｚ2への居住者の通過を検出して警戒モードの設定を解除し、警報発報部を構成する親機スピーカ６０２及び音声合成回路６０７と、録画回路６０４と、映像セレクタ回路６０５とをそれぞれ制御するための制御部として、ＯＲ回路６０８、ＡＮＤ回路６０９、親機制御回路６１４の３つの回路から構成される当該制御部を適用したが、この態様に限定されるものではない。例えば、ＯＲ回路６０８及びＡＮＤ回路６０９を親機制御回路６１４に内蔵させた態様であってもよく、この態様によれば、受信機側親機Ｉ／Ｆ６１３が親機制御回路６１４に直接接続されることになる。
【００４４】
最後に、本発明のセキュリティドアホン装置においては、特定の実施の形態をもって説明してきたが、この形態に限定されるものでなく、本発明の効果を奏する限り、これまで知られた如何なる構成のセキュリティドアホン装置であっても採用できるということはいうまでもないことである。
【図面の簡単な説明】
【００４５】
【図１】図１は、本発明の実施例によるセキュリティドアホン装置の全体構成を示すシステム説明図である。
【図２】図２（ａ）、（ｂ）はそれぞれ、本発明の実施例によるセキュリティドアホン装置において、無線送信機、無線受信機の具体的な構成を示すブロック図である。
【図３】図３は、本発明の実施例によるセキュリティドアホン装置において、居室親機の具体的な構成を示すブロック図である。
【符号の説明】
【００４６】
１……玄関子機
１０１……子機カメラ
２、３……第１、第２の各センサカメラ（少なくとも１台のセンサカメラ）
４……無線送信機
５……無線受信機
６……居室親機
６０２……親機スピーカ（警報発報部）
６０４……録画回路
６０５……映像セレクタ回路
６０７……音声合成回路（警報発報部）
６０８……ＯＲ回路（制御部）
６０９……ＡＮＤ回路（制御部）
６１４……親機制御回路（制御部）
Ｚ1、Ｚ2……（第１、第２の各センサカメラが有する）警報エリア
Ｚ3……（無線受信機が有する）受信エリア
Ｌ1、Ｌ2、Ｌ3、Ｌ4……伝送路
【図１】
2008244954.tif 000003
【図２】
2008244954.tif 000004
【図３】
2008244954.tif 000005